(57)【要約】  本発明は、無線通信の技術分野、特に、端末がＮＲシステムにおいてＯＴＤＯＡ測定を実行するための特定の解決策がないという従来技術の問題を解決するために使用される測定方法および装置に関する。本発明の実施形態では、端末は、検出された第１のビーム参照信号を決定し、要求メッセージをＬＭＦエンティティに送信するステップと、ＬＭＦエンティティによって送信された第２のビーム参照信号の第２のビーム情報を含む第１の測位支援データを受信するステップと、第１の測位支援データに従って、隣接する基地局の第２のビーム参照信号を測定するステップとを含む。したがって、ＬＭＦエンティティは、第１のビーム参照信号の第１のビーム情報に従って、測位支援データをＵＥに正確に提供することができ、第２のビーム参照信号を検索するための端末の時間および電力消費が削減され、システムパフォーマンスがさらに向上する。
2022501923.tif 000002
【特許請求の範囲】
【請求項１】
端末は、前記ＬＭＦエンティティが、第１のビーム情報に従って前記端末によって検出できる隣接する基地によって送信された第２のビーム参照信号の第２のビーム情報を決定できるようにするため、前記端末によって検出された第１のビーム参照信号を決定し、前記第１のビーム参照信号の第１のビーム情報が含まれる要求メッセージをロケーション管理機能（ＬＭＦ）エンティティに送信するステップと、
前記端末は、前記ＬＭＦエンティティによって送信された第２のビーム情報を含む第１の測位支援データを受信するステップと、
前記端末は、前記第１の測位支援データに従って、前記隣接する基地局の前記第２のビーム参照信号を測定するステップとを含む、ことを特徴とする測定方法。
【請求項２】
前記第１のビーム参照信号は、データ通信をサポートするために使用される下行参照信号ＤＬ−ＲＳおよび／または測位をサポートするために使用される測位参照信号ＰＲＳであり、
前記第２のビーム参照信号は、測位をサポートするために使用される測位参照信号（ＰＲＳ）である、ことを特徴とする請求項１に記載の測定方法。
【請求項３】
前記第１のビーム情報は、ＤＬ−ＲＳビーム識別子、ＤＬ−ＲＳ信号強度およびＰＲＳビーム識別子の一部または全部を含む、ことを特徴とする請求項２に記載の測定方法。
【請求項４】
前記第２のビーム情報は、ＰＲＳビーム識別子を含む、ことを特徴とする請求項２に記載の測定方法。
【請求項５】
前記端末が、前記第１の測位支援データに従って、前記隣接する基地局の前記第２のビーム参照信号を測定した後、
前記端末は、測定によって取得された測位情報を決定し、
前記端末が、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする、ことを特徴とする請求項１に記載の測定方法。
【請求項６】
前記端末が、前記端末によって検出された第１のビーム参照信号を決定することは、
前記端末は、第１の測位支援データを取得する必要があるときに、端末自体によって検出された第１のビーム参照信号を決定することを含む、ことを特徴とする請求項１に記載の測定方法。
【請求項７】
前記端末は、前記ＬＭＦエンティティによって送信された前記第２のビーム参照信号の第２のビーム情報を含む第１の測位支援データを受信した後、前記第１の測位支援データに従って、前記隣接する基地局の前記第２のビーム参照信号を測定する前に、
前記端末は、前記ＬＭＦエンティティによって送信された測位要求メッセージを受信する、ことを特徴とする請求項１に記載の測定方法。
【請求項８】
ＬＭＦエンティティは、端末によって送信された要求メッセージを受信するステップであって、ここで、前記要求メッセージに前記端末によって検出された第１のビーム参照信号の第１のビーム情報が含まれる前記受信するステップと、
前記ＬＭＦエンティティは、前記第１のビーム情報に従って端末によって検出できる隣接する基地によって送信された第２のビーム参照信号の第２のビーム情報を決定するステップと、
前記ＬＭＦエンティティは、前記端末に前記第２のビーム情報を含む第１の測位支援データを送信し、前記端末に、前記第１の測位支援データに従って、前記隣接する基地局の前記第２のビーム参照信号を測定できるようにするステップとを含む、ことを特徴とする測定方法。
【請求項９】
前記ＬＭＦエンティティが前記端末に前記第２のビーム情報を含む第１の測位支援データを送信した後、
前記ＬＭＦエンティティは、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される、ことを特徴とする請求項８に記載の測定方法。
【請求項１０】
前記ＬＭＦエンティティが、端末によって検出できる隣接する基地によって送信された第２のビーム参照信号を受信する前に、
前記ＬＭＦエンティティは、各基地局によって報告された前記基地によって送信された第３のビーム参照信号の第３のビーム情報を含む第２の測位支援データを受信する、ことを特徴とする請求項８に記載の測定方法。
【請求項１１】
前記ＬＭＦエンティティが、端末によって検出できる隣接する基地によって送信された第２のビーム参照信号の第２のビーム情報を受信することは、
前記ＬＭＦエンティティは、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定することを含む、ことを特徴とする請求項１０に記載の測定方法。
【請求項１２】
前記第１のビーム参照信号は、データ通信をサポートするために使用されるビーム通信参照信号ＤＬ−ＲＳおよび／または測位をサポートするために使用されるビーム測位参照信号ＰＲＳであり、
前記第２のビーム参照信号は、測位をサポートするために使用されるビーム測位参照信号ＰＲＳである、ことを特徴とする請求項８から請求項１１のいずれか１項に記載の測定方法。
【請求項１３】
前記第３のビーム参照信号は、データ通信をサポートするために使用されるＤＬ−ＲＳおよび／または測位をサポートするために使用されるＰＲＳである、ことを特徴とする請求項１０に記載の測定方法。
【請求項１４】
前記第１のビーム情報は、ＤＬ−ＲＳビーム識別子、ＤＬ−ＲＳ信号強度およびＰＲＳビーム識別子の一部または全部を含む、ことを特徴とする請求項１２に記載の測定方法。
【請求項１５】
前記第２のビーム情報は、ＰＲＳビーム識別子を含む、ことを特徴とする請求項１２に記載の測定方法。
【請求項１６】
前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、およびＤＬ−ＲＳビームとＰＲＳビーム間の準同一位置（Ｑｕａｓｉ  Ｃｏ−Ｌｏｃａｔｅｄ，ＱＣＬ）関連付けの関係の一部または全部を含む、ことを特徴とする請求項１３に記載の測定方法。
【請求項１７】
前記ＬＭＦエンティティは、前記端末によって送信された測定に使用される第２のビーム参照信号の第２のビーム情報を受信し、
前記ＬＭＦエンティティが、前記測位情報に従って前記端末の位置を決定することは、
前記ＬＭＦエンティティは、前記測位情報および前記測定に使用される第２のビーム参照信号の第２のビーム情報に従って前記端末の位置を決定することを含む、ことを特徴とする請求項９に記載の測定方法。
【請求項１８】
プロセッサと、メモリと、送受信機とを含み、
前記プロセッサは、メモリ内のプログラムを読み取り、
それ自体によって検出された第１のビーム参照信号を決定し、前記第１のビーム参照信号の第１のビーム情報が含まれる要求メッセージをロケーション管理機能（ＬＭＦ）エンティティに送信し、前記ＬＭＦエンティティが、前記第１のビーム情報に従って前記端末によって検出できる隣接する基地によって送信された第２のビーム参照信号の第２のビーム情報を決定できるようにするため、
前記ＬＭＦエンティティによって送信された前記の第２のビーム情報を含む第１の測位支援データを受信し、前記第１の測位支援データに従って、前記隣接する基地局の前記第２のビーム参照信号を測定する、ことを特徴とする端末。
【請求項１９】
前記第１のビーム参照信号は、データ通信をサポートするために使用されるビーム通信参照信号ＤＬ−ＲＳおよび／または測位をサポートするために使用されるビーム測位参照信号ＰＲＳであり、
前記第２のビーム参照信号は、測位をサポートするために使用される測位参照信号（ＰＲＳ）である、ことを特徴とする請求項１８に記載の端末。
【請求項２０】
前記第１のビーム情報は、ＤＬ−ＲＳビーム識別子、ＤＬ−ＲＳ信号強度およびＰＲＳビーム識別子の一部または全部を含み、
前記第２のビーム情報は、ＰＲＳビーム識別子を含む、ことを特徴とする請求項１９に記載の端末。
【請求項２１】
前記プロセッサはさらに、
前記第１の測位支援データに従って、前記隣接する基地局の前記第２のビーム参照信号を測定した後、測定によって取得された測位情報を決定し、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする、ことを特徴とする請求項１８に記載の端末。
【請求項２２】
プロセッサと、メモリと、送受信機とを含み、
前記プロセッサは、メモリ内のプログラムを読み取り、
端末によって送信された要求メッセージを受信し、ここで、前記要求メッセージに前記端末によって検出された第１のビーム参照信号の第１のビーム情報が含まれ、
前記第１のビーム情報に従って端末によって検出できる隣接する基地によって送信された第２のビーム参照信号の第２のビーム情報を決定し、
前記端末に前記の第２のビーム情報を含む第１の測位支援データを送信し、前記端末に、前記第１の測位支援データに従って、前記隣接する基地局の前記第２のビーム参照信号を測定できるようにする、ことを特徴とするＬＭＦエンティティ。
【請求項２３】
前記プロセッサは、さらに、
前記端末によって送信された測位情報を受信し、前記測位情報に従って前記端末の位置を決定し、前記測位情報は、前記第１の測位支援データに従って、前記隣接する基地局の前記第２のビーム参照信号を測定することによって端末によって取得される、ことを特徴とする請求項２２に記載のＬＭＦエンティティ。
【請求項２４】
前記プロセッサはさらに、
端末によって検出できる隣接する基地によって送信された第２のビーム参照信号を決定する前に、各基地局によって報告された前記基地によって送信された第３のビーム参照信号の第３のビーム情報を含む第２の測位支援データを受信する、ことを特徴とする請求項２２に記載のＬＭＦエンティティ。
【請求項２５】
前記プロセッサは、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する、ことを特徴とする請求項２４に記載のＬＭＦエンティティ。
【請求項２６】
前記第１のビーム参照信号は、データ通信をサポートするために使用されるビーム通信参照信号ＤＬ−ＲＳおよび／または測位をサポートするために使用されるビーム測位参照信号ＰＲＳであり、
前記第２のビーム参照信号は、測位をサポートするために使用されるビーム測位参照信号ＰＲＳである、ことを特徴とする請求項２２から請求項２５のいずれか１項に記載のＬＭＦエンティティ。
【請求項２７】
前記第３のビーム参照信号は、データ通信をサポートするために使用されるＤＬ−ＲＳおよび／または測位をサポートするために使用されるＰＲＳである、ことを特徴とする請求項２５に記載のＬＭＦエンティティ。
【請求項２８】
前記第１のビーム情報は、ＤＬ−ＲＳビーム識別子、ＤＬ−ＲＳ信号強度、ＰＲＳビーム識別子の一部または全部を含み、
前記第２のビーム情報は、ＰＲＳビーム識別子を含む、ことを特徴とする請求項２６に記載のＬＭＦエンティティ。
【請求項２９】
前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、およびＤＬ−ＲＳビームとＰＲＳビーム間のＱＣＬ関連付けの関係の一部または全部を含む、ことを特徴とする請求項２７に記載のＬＭＦエンティティ。
【請求項３０】
前記プロセッサはさらに、
前記端末によって送信された測定に使用される第２のビーム参照信号の第２のビーム情報を受信し、
前記プロセッサは、
前記測位情報および前記測定に使用される第２のビーム参照信号の第２のビーム情報に従って前記端末の位置を決定する、ことを特徴とする請求項２２に記載のＬＭＦエンティティ。
【請求項３１】
前記ＬＭＦエンティティが、前記第１のビーム情報に従って前記端末によって検出できる隣接する基地によって送信された第２のビーム参照信号の第２のビーム情報を決定できるようにするため、それ自体によって検出された第１のビーム参照信号を決定し、前記第１のビーム参照信号の第１のビーム情報が含まれる要求メッセージをロケーション管理機能（ＬＭＦ）エンティティに送信するように構成された第１の送信モジュールと、
記ＬＭＦエンティティによって送信された第２のビーム情報を含む第１の測位支援データを受信するように構成された第１の受信モジュールと、
前記第１の測位支援データに従って、前記隣接する基地局の前記第２のビーム参照信号を測定するように構成された測定モジュールとを含む、ことを特徴とする端末。
【請求項３２】
端末によって送信された要求メッセージを受信するように構成された第２の受信モジュールであって、前記要求メッセージに前記端末によって検出された第１のビーム参照信号の第１のビーム情報が含まれる前記第２の受信モジュールと、
前記第１のビーム情報に従って端末によって検出できる隣接する基地によって送信された第２のビーム参照信号の第２のビーム情報を決定するように構成された決定モジュールと、
前記端末に前記の第２のビーム情報を含む第１の測位支援データを送信し、前記端末に、前記第１の測位支援データに従って、前記隣接する基地局の前記第２のビーム参照信号を測定できるようにするように構成された第２の送信モジュールとを含む、ことを特徴とするＬＭＦエンティティ。
【請求項３３】
コンピュータプログラムを格納するコンピュータ記憶媒体であって、前記プログラムは、プロセッサによって実行されると、請求項１から請求項７のいずれか１項に記載の方法のステップまたは請求項８から請求項１７のいずれか１項に記載の方法のステップを実施するコンピュータ記憶媒体。
【発明の詳細な説明】
【技術分野】
【０００１】
関連出願の相互参照
本出願は、２０１８年９月２６日に中国特許局に提出し、出願番号が２０１８１１１２６８３８．Ｘであり、発明名称が「測定方法と装置」との中国特許出願を基礎とする優先権を主張し、その開示の総てをここに取り込む。
【０００２】
本発明は、通信技術分野に関し、特に測定方法と装置に関する。
【背景技術】
【０００３】
観測された到着時間差（Ｏｂｓｅｒｖｅｄ  Ｔｉｍｅ  Ｄｉｆｆｅｒｅｎｃｅ  ｏｆ  Ａｒｒｉｖａｌ，ＯＴＤＯＡ）測位は、３ＧＰＰプロトコル仕様によって定義された測位方法である。ＯＴＤＯＡの基本原理は、ユーザー機器（Ｕｓｅｒ  Ｅｑｕｉｐｍｅｎｔ，ＵＥ）は、複数の送信ポイント（Ｔｒａｎｓｍｉｓｓｉｏｎ  Ｐｏｉｎｔ，ＴＰ）から送信されたダウンリンク参照信号を測定してＵＥへの参照信号時間差（Ｒｅｆｅｒｅｎｃｅ  Ｓｉｇｎａｌ  Ｔｉｍｅ  Ｄｉｆｆｅｒｅｎｃｅ  ｍｅａｓｕｒｅｍｅｎｔ，ＲＳＴＤ）測定値を取得し、ＲＳＴＤ測定値を測位サーバに報告する。ＵＥの位置を特定する。
【０００４】
ＯＴＤＯＡ測位プロセスにおいて、測位サーバは、基地局（Ｂａｓｅ  ｓｔａｔｉｏｎ，ＢＳ）から、セルに関連するＯＴＤＯＡ支援情報（（ａｓｓｉｓｔａｎｃｅ  ｉｎｆｏｒｍａｔｉｏｎ）、例えば、物理セルＩＤ、セルのアンテナ位置、およびＰＲＳ構成などを取得する必要がある。次に、ＵＥは、３ＧＰＰによって指定された測位プロトコルを介して、測位サーバからＲＳＴＤ測定をサポートするためのＯＴＤＯＡ支援情報を取得する。ＵＥは、ＯＴＤＯＡ支援情報に従ってＯＴＤＯＡ測定を実行して、ＲＳＴＤ測定値を取得する。ただし、ＮＲ（５Ｇ  Ｎｅｗ  Ｒａｄｉｏ）システムはマルチビーム信号伝送システムであり、ＯＴＤＯＡ測定を実行するＵＥの既存の方法をＮＲシステムに直接適用することはできない。
【発明の概要】
【発明が解決しようとする課題】
【０００５】
要約すると、現在、端末がＮＲシステムにおいてＯＴＤＯＡ測定を実行するための特定の解決策はない。
【０００６】
本発明は、端末がＮＲシステムにおいてＯＴＤＯＡ測定を実行するための特定の解決策がないという従来技術の問題を解決するための測定方法およびデバイスを提供する。
【課題を解決するための手段】
【０００７】
前述の問題に基づいて、第１の態様では、本発明の実施形態は、測定方法を提供する。この方法は、端末は、前記端末によって検出された第１のビーム参照信号を決定し、前記ＬＭＦエンティティが、前記第１のビーム情報に従って前記端末によって検出できる隣接する基地によって送信された第２のビーム参照信号の第２のビーム情報を決定できるようにするため、前記第１のビーム参照信号の第１のビーム情報が含まれる要求メッセージをロケーション管理機能（ＬＭＦ）エンティティに送信するステップと、前記端末は、前記ＬＭＦエンティティによって送信された第２のビーム情報を含む第１の測位支援データを受信するステップと、前記端末は、前記第１の測位支援データに従って、前記隣接する基地局の前記第２のビーム参照信号を測定するステップとを含む。
【０００８】
任意選択で、前記第１のビーム参照信号は、データ通信をサポートするために使用されるビーム通信参照信号（ＤＬ−ＲＳ）および測位をサポートするために使用されるビーム測位参照信号（ＰＲＳ）のうちの少なくとも１つであり、前記第２のビーム参照信号は、測位をサポートするために使用される測位参照信号（ＰＲＳ）である。
【０００９】
任意選択で、前記第１のビーム情報は、ＤＬ−ＲＳビーム識別子、ＤＬ−ＲＳ信号強度およびＰＲＳビーム識別子のうちの一部または全部を含む。
【００１０】
任意選択で、前記第２のビーム情報は、ＰＲＳビーム識別子を含む。
【００１１】
任意選択で、前記端末が、前記第１の測位支援データに従って、前記隣接する基地局の前記第２のビーム参照信号を測定した後、前記端末は、測定によって取得された測位情報を決定し、前記端末が、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする。
【００１２】
任意選択で、前記端末が、前記端末によって検出された第１のビーム参照信号を決定することは、具体的に、前記端末は、第１の測位支援データを取得する必要があるときに、端末自体によって検出された第１のビーム参照信号を決定する。
【００１３】
任意選択で、前記端末は、前記ＬＭＦエンティティによって送信された前記第２のビーム参照信号の第２のビーム情報を含む第１の測位支援データを受信した後、前記第１の測位支援データに従って、前記隣接する基地局の前記第２のビーム参照信号を測定する前に、前記端末は、前記ＬＭＦエンティティによって送信された測位要求メッセージを受信する。
【００１４】
第２の態様では、本発明の実施形態は、測定方法を提供する。当該方法は、ＬＭＦエンティティは、端末によって送信された要求メッセージを受信し、ここで、前記要求メッセージに前記端末によって検出された第１のビーム参照信号の第１のビーム情報が含まれ、前記ＬＭＦエンティティは、前記第１のビーム情報に従って端末によって検出できる隣接する基地によって送信された第２のビーム参照信号の第２のビーム情報を決定し、前記ＬＭＦエンティティは、前記端末に前記第２のビーム情報を含む第１の測位支援データを送信し、前記端末に、前記第１の測位支援データに従って、前記隣接する基地局の前記第２のビーム参照信号を測定できるようにする。
【００１５】
任意選択で、前記ＬＭＦエンティティが前記端末に前記第２のビーム情報を含む第１の測位支援データを送信した後、前記ＬＭＦエンティティは、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される。
【００１６】
任意選択で、前記ＬＭＦエンティティが、端末によって検出できる隣接する基地によって送信された第２のビーム参照信号を受信する前に、前記ＬＭＦエンティティは、各基地局によって報告された前記基地によって送信された第３のビーム参照信号の第３のビーム情報を含む第２の測位支援データを受信する。
【００１７】
任意選択で、前記ＬＭＦエンティティが、端末によって検出できる隣接する基地によって送信された第２のビーム参照信号の第２のビーム情報を受信することは、具体的に、前記ＬＭＦエンティティは、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する。
【００１８】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用されるビーム測位参照信号ＰＲＳである。
【００１９】
任意選択で、前記第３のビーム参照信号は、データ通信をサポートするために使用されるＤＬ−ＲＳおよび／または測位をサポートするために使用されるＰＲＳである。
【００２０】
任意選択で、前記第１のビーム情報は、ＤＬ−ＲＳビーム識別子、ＤＬ−ＲＳ信号強度およびＰＲＳビーム識別子のうちの一部または全部を含む。
【００２１】
任意選択で、前記第２のビーム情報は、ＰＲＳビーム識別子を含む。
【００２２】
任意選択で、前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、ＤＬ−ＲＳビームとＰＲＳビーム間のＱＣＬ関連付けの関係の一部または全部を含む。
【００２３】
任意選択で、当該方法では、さらに、前記ＬＭＦエンティティは、前記端末によって送信された測定に使用される第２のビーム参照信号の第２のビーム情報を受信し、前記ＬＭＦエンティティが、前記測位情報に従って前記端末の位置を決定することは、具体的に、前記ＬＭＦエンティティは、前記測位情報および前記測定に使用される第２のビーム参照信号の第２のビーム情報に従って前記端末の位置を決定する。
【００２４】
第３の態様では、本発明の実施形態は、端末を提供する。前記端末には、プロセッサと、メモリと、送受信機とを含み、ここで、前記プロセッサは、メモリ内のプログラムを読み取り、前記プロセッサ自体によって検出された第１のビーム参照信号を決定し、要求メッセージをロケーション管理機能（ＬＭＦ）エンティティに送信し、ここで、前記要求メッセージに前記第１のビーム参照信号の第１のビーム情報が含まれ、前記ＬＭＦエンティティが、前記第１のビーム情報に従って前記端末によって検出できる隣接する基地によって送信された第２のビーム参照信号の第２のビーム情報を決定できるようにするため、前記ＬＭＦエンティティによって送信された前記第２のビーム参照信号の第２のビーム情報を含む第１の測位支援データを受信し、前記第１の測位支援データに従って、前記隣接する基地局の前記第２のビーム参照信号を測定する。
【００２５】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用される測位参照信号（ＰＲＳ）である。
【００２６】
任意選択で、前記第１のビーム情報は、ＤＬ−ＲＳビーム識別子、ＤＬ−ＲＳ信号強度およびＰＲＳビーム識別子のうちの一部または全部を含む。
【００２７】
任意選択で、前記第２のビーム情報は、ＰＲＳビーム識別子を含む。
【００２８】
任意選択で、前記プロセッサはさらに、前記第１の測位支援データに従って、前記隣接する基地局の前記第２のビーム参照信号を測定した後、測定によって取得された測位情報を決定し、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする。
【００２９】
任意選択で、前記プロセッサは、具体的には、第１の測位支援データを取得する必要があるときに、前記プロセッサ自体によって検出された第１のビーム参照信号を決定する。
【００３０】
任意選択で、前記プロセッサはさらに、前記ＬＭＦエンティティによって送信された前記第２のビーム参照信号の第２のビーム情報を含む第１の測位支援データを受信した後、前記第１の測位支援データに従って、前記隣接する基地局の前記第２のビーム参照信号を測定する前に、前記ＬＭＦエンティティによって送信された測位要求メッセージを受信する。
【００３１】
第４の態様では、本発明の実施形態は、ＬＭＦエンティティを提供する。当該ＬＭＦエンティティは、プロセッサと、メモリと、送受信機とを含み、ここで、前記プロセッサは、メモリ内のプログラムを読み取り、端末によって送信された要求メッセージを受信し、ここで、前記要求メッセージに前記端末によって検出された第１のビーム参照信号の第１のビーム情報が含まれ、前記第１のビーム情報に従って端末によって検出できる隣接する基地によって送信された第２のビーム参照信号の第２のビーム情報を決定し、前記第２のビーム参照信号の第２のビーム情報を含む第１の測位支援データを前記端末に送信し、前記端末に、前記第１の測位支援データに従って、前記隣接する基地局の前記第２のビーム参照信号を測定できるようにする。
【００３２】
任意選択で、前記プロセッサはさらに、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される。
【００３３】
任意選択で、前記プロセッサはさらに、端末によって検出できる隣接する基地によって送信された第２のビーム参照信号の第２のビーム情報を決定する前に、各基地局によって報告された前記基地によって送信された第３のビーム参照信号の第３のビーム情報を含む第２の測位支援データを受信する。
【００３４】
任意選択で、前記プロセッサは、具体的には、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する。
【００３５】
任意選択で、前記第１のビーム参照信号は、データ通信をサポートするために使用されるビーム通信参照信号ＤＬ−ＲＳおよび／または測位をサポートするために使用されるビーム測位参照信号ＰＲＳであり、前記第２のビーム参照信号は、測位をサポートするために使用されるビーム測位参照信号ＰＲＳである。
【００３６】
任意選択で、前記第３のビーム参照信号は、データ通信をサポートするために使用されるＤＬ−ＲＳおよび／または測位をサポートするために使用されるＰＲＳである。
【００３７】
任意選択で、前記第１のビーム情報は、ＤＬ−ＲＳビーム識別子、ＤＬ−ＲＳ信号強度およびＰＲＳビーム識別子のうちの一部または全部を含む。
【００３８】
任意選択で、前記第２のビーム情報は、ＰＲＳビーム識別子を含む。
【００３９】
任意選択で、前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、ＤＬ−ＲＳビームとＰＲＳビーム間のＱＣＬ関連付けの関係の一部または全部を含む。
【００４０】
任意選択で、前記プロセッサはさらに、前記端末によって送信された測定に使用される第２のビーム参照信号の第２のビーム情報を受信し、前記プロセッサは、具体的には、前記測位情報および前記測定に使用される第２のビーム参照信号の第２のビーム情報に従って前記端末の位置を決定する。
【００４１】
第５の態様では、本発明の実施形態はさらに端末を提供する。当該端末は、前記第１のビーム情報に従って前記端末によって検出できる隣接する基地によって送信された第２のビーム参照信号の第２のビーム情報を決定できるようにするため、それ自体によって検出された第１のビーム参照信号を決定し、前記第１のビーム参照信号の第１のビーム情報が含まれる要求メッセージをＬＭＦエンティティに送信するように構成された第１の送信モジュールと、前記ＬＭＦエンティティによって送信された前記第２のビーム参照信号の第２のビーム情報を含む第１の測位支援データを受信するように構成された受信モジュールと、前記第１の測位支援データに従って、前記隣接する基地局の前記第２のビーム参照信号を測定するように構成された測定モジュールと、を含む。
【００４２】
第６の態様では、本発明の実施形態は、ＬＭＦエンティティをさらに提供する。当該ＬＭＦエンティティは、第２の受信モジュール，用于端末によって送信された要求メッセージを受信するように構成された第２の受信モジュールであって、前記要求メッセージに前記端末によって検出された第１のビーム参照信号の第１のビーム情報が含まれる前記第２の受信モジュールと、前記第１のビーム情報に従って端末によって検出できる隣接する基地によって送信された第２のビーム参照信号の第２のビーム情報を決定するように構成された決定モジュールと、前記第２のビーム参照信号の第２のビーム情報を含む第１の測位支援データを前記端末に送信し、前記端末に、前記第１の測位支援データに従って、前記隣接する基地局の前記第２のビーム参照信号を測定できるようにするように構成された第２の送信モジュールとを含む。
【００４３】
第７の態様では、本発明の実施形態は、コンピュータプログラムをその上に格納するコンピュータ格納可能媒体を提供し、プログラムは、プロセッサによって実行されると、上記の第１の態様で説明した方法の動作を実施するか、または上記の第２の態様で説明した方法の動作を実施する。
【発明の効果】
【００４４】
本発明の実施形態端末は、前記端末によって検出された第１のビーム参照信号を決定し、前記第１のビーム参照信号の第１のビーム情報を含む要求メッセージをＬＭＦエンティティに送信し、ＬＭＦエンティティは、端末によって検出できる隣接する基地によって送信された第２のビーム参照信号を決定し、端末は、ＬＭＦエンティティによって送信される第１の測位支援データに含まれる第２のビーム参照信号の第２のビーム情報を受信し、端末が第１の測位支援データに従ってＯＴＤＯＡ測定を実行するようにすることにより、ＬＭＦエンティティが、第１のビーム参照信号の第１のビーム情報に従い、測位支援データをＵＥに正確に提供できることを保証する。また、第１の測位支援データが第２のビーム参照信号の第２のビーム情報を含むため、端末は、第２のビーム情報に従ってビーム参照信号を迅速に検出することができ、端末が第２のビームを検索するための時間および電力消費を削減し、システムの性能をさらに向上させる。
【図面の簡単な説明】
【００４５】
【図１】本発明の実施形態による測定および測位のためのシステムの構造概略図である。
【図２】本発明の実施形態による、ＬＭＦエンティティによる第２のビーム参照信号を決定するための方法の概略図である。
【図３】本発明の実施形態による、ＬＭＦエンティティによって端末を測位するための方法の概略図である。
【図４】本発明の実施形態による第１の測位方法のフローチャートである。
【図５】本発明の実施形態による第２の測位方法のフローチャートである。
【図６】本発明の実施形態による第１の端子の構造概略図である。
【図７】本発明の実施形態による第２の端子の構造概略図である。
【図８】本発明の実施形態による第１のＬＭＦエンティティの構造概略図である。
【図９】本発明の実施形態による第２のＬＭＦエンティティの構造概略図である。
【図１０】本発明の実施形態による第１の測定方法のフローチャートである。
【図１１】本発明の実施形態による第１の測定方法のフローチャートである。
【発明を実施するための形態】
【００４６】
以下において、本発明の実施形態におけるいくつかの用語は、当業者の理解を容易にするために説明される。
【００４７】
（１）本発明の実施形態では、名詞「ネットワーク」と「システム」がインタラクションに使用されることが多いが、当業者はその意味を理解することができる。
【００４８】
（２）本発明の実施形態における「複数」という用語は、２つ以上を指し、他の定量化器はそれに類似している。
【００４９】
（３）「および／または」は、関連するオブジェクトの関連関係を記述し、例えばＡおよび／またはＢが表すことができる３つの関係があることを示す：Ａのみ、ＡとＢの両方、Ｂのみ。符号「／」は、一般に、関連するオブジェクトに一種の「または」関係があることを示す。
【００５０】
本発明の実施形態で説明されるネットワークアーキテクチャおよびサービスシナリオは、本発明の実施形態の技術的解決策をより明確に説明することを意図しており、本発明の実施形態で提供される技術的解決策に対する制限を構成しない。ネットワークアーキテクチャの進化および新しいサービスシナリオの出現により、当業者に知られているように、本発明の実施形態で提供される技術的解決策は、同様の技術的問題にも適用可能である。
【００５１】
ここで、端末装置は、無線通信機能を備えた装置であり、屋内または屋外、ハンドヘルドまたは車載を含む陸上に展開することができる。または、水上（船など）に配備することもできる。または、空中に展開することもできる（たとえば、飛行機、気球、衛星など）。前記端末装置は、携帯電話（ｍｏｂｉｌｅ  ｐｈｏｎｅ）、パッド（ｐａｄ）、ワイヤレス送受信機能を備えたコンピュータ、仮想現実（ｖｉｒｔｕａｌ  ｒｅａｌｉｔｙ，ＶＲ）端末装置、拡張現実（ａｕｇｍｅｎｔｅｄ  ｒｅａｌｉｔｙ，ＡＲ）端末装置、産業用制御（ｉｎｄｕｓｔｒｉａｌ  ｃｏｎｔｒｏｌ）のワイヤレス端末装置、自動運転（ｓｅｌｆ  ｄｒｉｖｉｎｇ）のワイヤレス端末装置、遠隔医療（ｒｅｍｏｔｅ  ｍｅｄｉｃａｌ）の端末機器、スマートグリッド（ｓｍａｒｔ  ｇｒｉｄ）の無線端末機器、輸送安全（ｔｒａｎｓｐｏｒｔａｔｉｏｎ  ｓａｆｅｔｙ）の無線端末機器、スマートシティ（ｓｍａｒｔ  ｃｉｔｙ）の無線端末機器、スマートホーム（ｓｍａｒｔ  ｈｏｍｅ）の無線端末機器などで可能である。または、さまざまな形式のＵＥ、移動局（ｍｏｂｉｌｅ  ｓｔａｔｉｏｎ，ＭＳ）、前記端末装置（ｔｅｒｍｉｎａｌ  ｄｅｖｉｃｅ）の場合がある。
【００５２】
ネットワーク側装置は、前記端末装置に無線通信機能を提供する装置であり、これには、５ＧのｇＮＢ、無線ネットワークコントローラ（ｒａｄｉｏ  ｎｅｔｗｏｒｋ  ｃｏｎｔｒｏｌｌｅｒ，ＲＮＣ）、ノードＢ（ｎｏｄｅ  Ｂ，ＮＢ）、基地局コントローラ（ｂａｓｅ  ｓｔａｔｉｏｎ  ｃｏｎｔｒｏｌｌｅｒ，ＢＳＣ）、基地局（ｂａｓｅ  ｔｒａｎｓｃｅｉｖｅｒ  ｓｔａｔｉｏｎ，ＢＴＳ）、ホーム基地局（たとえば、ホーム進化ノードＢまたはホームノードＢ（ＨＮＢ））、ベースバンドユニット（ＢａｓｅＢａｎｄ  Ｕｎｉｔ，ＢＢＵ）、送受信ポイント（ｔｒａｎｓｍｉｔｔｉｎｇ  ａｎｄ  ｒｅｃｅｉｖｉｎｇ  ｐｏｉｎｔ，ＴＲＰ）、送信ポイント（ｔｒａｎｓｍｉｔｔｉｎｇ  ｐｏｉｎｔ，ＴＰ）、モバイルが含まれるが、これらに限定されない。本発明の基地局はまた、将来出現する可能性のある他の通信システムの端末装置に無線通信機能を提供する装置であり得る。
【００５３】
本発明の実施形態で与えられる測定方法は、信号を送信するために複数のビームを使用するＮＲシステムに適用可能である。ＮＲシステムは、すべての周波数範囲で異なる方向への複数の信号ビームの送信をサポートする。たとえば、プロトコルでは、同期信号ブロック（Ｓｙｎｃｈｒｏｎｉｚａｔｉｏｎ  Ｓｉｇｎａｌ  ｂｌｏｃｋ，ＳＳＢ）バースト（ｂｕｒｓｔ）に最大Ｌ個のＳＳＢを含めることができると規定されている（３ＧＨｚ未満の周波数帯域でＬ  ＝  ４、３ＧＨｚ〜６ＧＨｚの周波数帯域でＬ  ＝  ８、Ｌ  ＝  ６４  ６ＧＨｚ以上の周波数帯域で、ＳＳＢの送信ビーム方向は一般的に異なる。
【００５４】
端末、測位サーバ、および基地局の間で現在インタラクションされているＯＴＤＯＡ支援情報は、ダウンリンク参照信号ビームに関連する情報、例えば、ビーム識別子、ビーム方向、ビーム幅などを含まない。ビーム関連情報を含まない支援情報のＯＴＤＯＡを受信した後、端末はダウンリンク参照信号を正確に検索できず、端末がダウンリンク参照信号を検索するための時間と電力消費が増加する。
【００５５】
本発明の目的、技術的解決策および利点をより明確にするために、本発明は、添付の図を参照して以下にさらに詳細に示される。記載された実施形態は、本発明の実施形態の一部に過ぎず、すべての実施形態ではないことが明らかである。本発明の実施形態に基づいて、創造的な作業なしに当業者によって得られた他のすべての実施形態は、本発明の保護範囲に関係する。
【００５６】
図１に示されるように、本発明の実施形態の測定システムは、端末１０およびＬＭＦエンティティ２０を含む。
【００５７】
端末１０は、前記ＬＭＦエンティティに、前記第１のビーム情報に従って前記端末によって検出できる隣接する基地によって送信された第２のビーム参照信号の第２のビーム情報を決定できるようにするため、端末自体によって検出された第１のビーム参照信号を決定し、前記第１のビーム参照信号の第１のビーム情報が含まれる要求メッセージをロケーション管理機能（Ｌｏｃａｔｉｏｎ  Ｍａｎａｇｅｍｅｎｔ  Ｆｕｎｃｔｉｏｎ，ＬＭＦ）エンティティに送信し、前記ＬＭＦエンティティによって送信された第２のビーム情報を含む第１の測位支援データを受信し、前記第１の測位支援データに従って、前記隣接する基地局の前記第２のビーム参照信号を測定する。
【００５８】
ＬＭＦエンティティ２０は、端末によって送信された要求メッセージを受信し、ここで、前記要求メッセージに前記端末によって検出された第１のビーム参照信号の第１のビーム情報が含まれ、前記第１のビーム情報に従って端末によって検出できる隣接する基地によって送信された第２のビーム参照信号の第２のビーム情報を決定し、前記第２のビーム参照信号の第２のビーム情報を含む第１の測位支援データを前記端末に送信し、前記端末に、前記第１の測位支援データに従って、前記隣接する基地局の前記第２のビーム参照信号を測定できるようにする。
【００５９】
ＲＲＣ接続（ＲＲＣ＿ＣＯＮＮＥＣＴＥＤ）状態の端末は、サービング基地局および隣接する基地局からの第１のビーム参照信号を定期的に測定する必要があり、例えば、無線リソース管理（Ｒａｄｉｏ  ｒｅｓｏｕｒｃｅ  ｍａｎａｇｅｍｅｎｔ，ＲＲＭ）測定を実行するか、またはビーム管理（Ｂｅａｍ  ｍａｎａｇｅｍｅｎｔ，ＢＭ）測定を実行する。
【００６０】
ここで、第１のビーム参照信号は、データ通信をサポートするために使用される下行参照信号（Ｄｏｗｎｌｉｎｋ  Ｒｅｆｅｒｅｎｃｅ  Ｓｉｇｎａｌｓ，ＤＬ−ＲＳ）および／または測位をサポートするために使用される測位参照信号（Ｐｏｓｉｔｉｏｎｉｎｇ  Ｒｅｆｅｒｅｎｃｅ  Ｓｉｇｎａｌ，ＰＲＳ）である。第１のビーム情報は、ＤＬ−ＲＳビーム識別子、ＤＬ−ＲＳ信号強度およびＰＲＳビーム識別子のうちの一部または全部を含む。
【００６１】
ここで、ＤＬ−ＲＳビーム識別子は、ＢＭ／ＲＲＭ測定中にＵＥによって検出されたＳＳＢインデックスまたはチャネル状態表示参照信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌ，ＣＳＩ−ＲＳ）インデックスであることに注意する必要がある。ＤＬ−ＲＳ信号強度は、ＢＭ／ＲＲＭ測定中にＵＥによって取得された参照信号受信電力（Ｒｅｆｅｒｅｎｃｅ  Ｓｉｇｎａｌ  Ｒｅｃｅｉｖｉｎｇ  Ｐｏｗｅｒ，ＲＳＲＰ）の測定値である。ＰＲＳビーム識別子は、ＵＥが以前にまたは現在ＰＲＳを検出したビームの識別子である。
【００６２】
端末が第１のビーム参照信号に対して周期的ＲＲＭ測定を実行する場合、端末は、第１のビーム参照信号および第１のビーム参照信号の信号強度を取得することができる。第１のビーム参照信号を検出した後、端末は、ＬＭＦエンティティに測位支援データを要求するために、ＬＭＦエンティティに要求メッセージを送信する。ここで、端末からＬＭＦエンティティに送信される要求メッセージには、第１のビーム参照信号の第１のビーム情報が含まれている。
【００６３】
端末によってＬＭＦエンティティに送信される要求メッセージはまた、従来技術のものと同じである他の情報を含むことに留意されたい。詳細は、従来技術において端末から測位サーバに送信される要求メッセージ内の情報を参照することができ、ここでは繰り返さない。
【００６４】
任意選択で、端末は、次の瞬間にそれ自体によって検出された第１のビーム参照信号を決定する：端末は、第１の測位支援データを取得する必要があるときに、それ自体によって検出された第１のビーム参照信号を決定する。
【００６５】
さらに、ＬＭＦエンティティは、各基地局によって報告された前記基地によって送信された第３のビーム参照信号の第３のビーム情報を含む第２の測位支援データを受信する。
【００６６】
任意選択で、各基地局は、基地局によってＬＭＦエンティティに送信された第３のビーム参照信号の第３のビーム情報を含む第２の測位支援データを最初に報告することができる。または、各基地局は、ＬＭＦエンティティによって送信された支援データ要求メッセージを受信した後、基地局によってＬＭＦエンティティに送信された第３のビーム参照信号の第３のビーム情報を含む第２の測位支援データを報告する。
【００６７】
具体的には、ＬＭＦエンティティは、各基地局にＯＴＤＯＡ情報要求メッセージを送信する。そして、ＯＴＤＯＡ情報要求メッセージを受信した後、各基地局は、ＯＴＤＯＡ情報応答メッセージを介して基地局によってＬＭＦエンティティに送信された第３のビーム参照信号の第３のビーム情報を含む第２の測位支援データを報告する。
【００６８】
ここで、前記第３のビーム参照信号は、データ通信をサポートするために使用されるＤＬ−ＲＳおよび／または測位をサポートするために使用されるＰＲＳである。
【００６９】
前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、およびＤＬ−ＲＳビームとＰＲＳビーム間の準同一位置（Ｑｕａｓｉ  Ｃｏ−Ｌｏｃａｔｅｄ，ＱＣＬ）関連付けの関係の一部または全部を含む。
【００７０】
具体的には、第２の測位支援データは、ＰＲＳ情報を含み、ここで、ＰＲＳ情報は、第３のビーム参照信号の第３のビーム情報を含む。さらに、第３のビーム参照信号の第３のビーム情報に加えて、ＰＲＳ情報は、従来技術と同じ他の情報も含む。詳細は、基地局から従来技術の測位サーバに送信される「ＮＲＰＰａ  ＯＴＤＯＡ情報応答」メッセージの情報を参照することができ、ここでは繰り返さない。
【００７１】
ここで、ＬＭＦエンティティが、各基地局によって報告された第２の測位支援データを受信するか、端末によって送信された要求メッセージを受信するかは、順序付けられていないことに留意されたい。
【００７２】
各基地局によって報告された第２の測位支援データおよび端末によって送信された要求メッセージを受信した後、ＬＭＦエンティティは、端末によって検出できる隣接する基地によって送信された第２のビーム参照信号の第２のビーム情報を決定する。
【００７３】
任意選択で、ＬＭＦエンティティは、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する。
【００７４】
ＬＭＦエンティティによって決定された、端末によって検出できる隣接する基地によって送信された第２のビーム参照信号は、ＬＭＦエンティティによって決定された理論的に端末によって検出され得る可能性が元も高い隣接する基地によって送信された第２のビーム参照信号である。ＬＭＦエンティティによって決定された端末によって検出できる隣接する基地によって送信された第２のビーム参照信号は、端末によって実際に検出され得る隣接する基地によって送信された第２のビーム参照号と同じであっても異なっていてもよい。
【００７５】
ＬＭＦエンティティは、端末によって検出できる隣接する基地によって送信された第２のビーム参照信号の第２のビーム情報を決定した後、第２のビーム参照信号の第２のビーム情報を含む第１の測位支援データを端末に送信し、第２のビーム参照信号は、測位をサポートするために使用されるＰＲＳであり、第２のビーム情報は、ＰＲＳビーム識別子を含む。
【００７６】
具体的には、第１の測位支援データは、第２のビーム参照信号の第２のビーム情報を含むＰＲＳ情報を含む。さらに、第２のビーム参照信号の第２のビーム情報に加えて、ＰＲＳ情報はまた、従来技術のものと同じである他の情報も含む。詳細は、従来技術において測位サーバから端末に送信される「測位支援データを提供する」メッセージの情報を参照することができ、ここでは繰り返さない。
【００７７】
本発明の実施形態においてＬＭＦエンティティが、端末によって検出され得る第２のビーム参照信号を決定するための方法は、図２を参照して以下に示される。
【００７８】
図２に示すように、端末は、サービング基地局および隣接する基地局からの第１のビーム参照信号を定期的に測定し、例えば、ＲＲＭをサポートするためにＤＬ−ＲＳを測定しＲＲＭ測定結果に従って、基地局ＢＳ２からのＢＳ１とＤＬ−ＲＳを検出すると仮定する。そして、基地局ＢＳ１からのＤＬ−ＲＳ２は、ＤＬ−ＲＳビームｘで検出され、基地局ＢＳ２からのＤＬ−ＲＳは、ＤＬ−ＲＳビームｙで検出される。次に、端末は、検出されたＤＬ−ＲＳの第１のビーム情報として、ＤＬ−ＲＳビームｘ、ＤＬ−ＲＳビームｙ、ＤＬ−ＲＳ１および／またはＤＬ−ＲＳ２の信号強度を使用し、ＬＭＦエンティティに第１のビーム情報を含む要求メッセージを送信する。
【００７９】
さらに、ＬＭＦエンティティは、各基地局によって報告された第３のビーム参照信号の第２のビーム情報を含む第２の測位支援データを受信する。たとえば、ＬＭＦエンティティは基地局ＢＳ３からＰＲＳを受信し、ＰＲＳ情報にはＢＳ３のビーム識別子と各ビームの方向、幅などが含まれる。
【００８０】
ＬＭＦエンティティは、要求メッセージで運ばれるビーム情報（ＤＬ−ＲＳビームｘ、ＤＬ−ＲＳビームｙ）に従って、端末が基地局ＢＳ１と基地局ＢＳ２との間に位置することを決定する。ＬＭＦエンティティは、例えば、基地局によって報告されたビーム情報を含むＰＲＳ情報に従って、基地局ＢＳ１と基地局ＢＳ２との間の領域に送信される基地局ＢＳ３のビームを決定する。図２に示されるように、基地局ＢＳ３のＰＲＳビームｂは、基地局ＢＳ１と基地局ＢＳ２との間の領域に送信することができる。ＬＭＦエンティティは、基地局ＢＳ１と基地局ＢＳ２との間の領域に送信された基地局ＢＳ３からのＰＲＳを第２のビーム参照信号として使用し、ＰＲＳビームｂの情報を第２のビーム参照信号のＰＲＳ情報に追加して端末に送信する。
【００８１】
さらに、ＬＭＦエンティティはまた、ビーム参照信号（ＰＲＳ）を送信する端末と基地局との間の距離を決定することができ、したがって、端末がビーム参照信号（ＰＲＳ）ビームを検索するための時間ウィンドウを決定することができる。これにより、ビーム参照信号（ＰＲＳ）を検索するための端末の時間と消費電力が削減される。
【００８２】
ＬＭＦエンティティによって送信された第１の測位支援データを受信した後、端末は、以下の方式で第２のビーム参照信号を測定することができる。
【００８３】
第１の方式において、ＬＭＦエンティティは、プロセスをトリガーする。
【００８４】
ＬＭＦエンティティは、測位要求メッセージを端末に送信する。それに対応して、測位要求メッセージを受信した後、端末は、第１の測位支援データに従って、隣接する基地局の第２のビーム参照信号を測定する。
【００８５】
第２の方式では、端末はプロセスをトリガーする。
【００８６】
端末は、最初に、隣接する基地局の第２のビーム参照信号を測定することによって得られた測位情報をＬＭＦエンティティに報告する。
【００８７】
具体的には、端末は、ＬＭＦエンティティによって送信された第１の測位支援データを受信した直後に第２のビーム参照信号を測定することができ、または端末は、事前設定された瞬間に第２のビーム参照信号を測定することができる。
【００８８】
任意選択で、端末は、前記第１の測位支援データに従って、前記隣接する基地局の前記第２のビーム参照信号を測定した後、測定によって取得された測位情報を決定し、前記測位情報、および測定に使用される第２のビーム参照信号の第２のビーム情報を、前記ＬＭＦエンティティに送信する。
【００８９】
同様に、ＬＭＦエンティティは、前記端末によって送信された測定に使用される第２のビーム参照信号の第２のビーム情報を受信し、前記測位情報および前記測定に使用される第２のビーム参照信号の第２のビーム情報に従って前記端末の位置を決定する。
【００９０】
ここで、測位情報は、測位測定値であり得、具体的には、ＲＳＴＤ測定値であり得る。
【００９１】
図３に示すように、端末は、基地局ＢＳ１からのＰＲＳ、基地局ＢＳ２からのＰＲＳ、および基地局ＢＳ３からのＰＲＳを測定することによってＲＳＴＤ測定値を取得すると仮定される。そして、ＰＲＳビームｘ上でＢＳ１からのＰＲＳを検出し、ＰＲＳビームｙ上でＢＳ２からのＰＲＳを検出し、そしてＰＲＳビームｂ上のＢＳ３からのＰＲＳを検出する。ここで、端末測定に使用される第２のビーム参照信号の第２のビーム情報が、ＰＲＳビームｘ、ＰＲＳビームｙ、ＰＲＳビームｂの情報を含む場合、ＬＭＦエンティティは、端末のＲＳＴＤ測定値、およびＰＲＳビームｘ、ＰＲＳビームｙ、ＰＲＳビームｂの情報に従って末の位置を決定し、ＯＴＤＯＡの測位精度と信頼性を向上させる。
【００９２】
図４に示すように、それは、本発明の実施形態の第１のＯＴＤＯＡ測位プロセスの図である。
【００９３】
ここで、端末は、基地局との接続を確立し、ＲＲＣ接続状態にある。
【００９４】
ステップ４０１：ＬＭＦエンティティは、端末の測位能力を要求する。ステップ４０１において、ＬＭＦエンティティは、端末がサポートできる測位能力を報告するように端末に要求する。
【００９５】
ステップ４０２：端末は、端末の測位能力をＬＭＦエンティティに報告する。端末が測位能力をＬＭＦエンティティに報告する場合、端末がＮＧ−ＲＡＮＯＴＤＯＡ測位能力をサポートしていることを示す。
【００９６】
ステップ４０３：ダウンリンク測位支援データが必要なときに端末それ自体によって検出された第１のビーム参照信号を決定する。ここで、第１のビーム参照信号は、ＰＲＳおよび／またはＤＬ−ＲＳである。
【００９７】
ステップ４０４：端末は、要求メッセージをＬＭＦエンティティに送信し、ここで、当該要求メッセージは、第１のビーム参照信号の第１のビーム情報を含む。
【００９８】
ステップ４０５：ＬＭＦエンティティは、基地局にＯＴＤＯＡ情報要求メッセージを送信する。
【００９９】
ステップ４０６：基地局は、ＯＴＤＯＡ情報応答メッセージを介してＬＭＦエンティティに基地によって送信された第３のビーム参照信号の第３のビーム情報を含む第２の測位支援データを報告する。ここで、第３のビーム参照信号は、ＰＲＳおよび／またはＤＬ−ＲＳである。
【０１００】
ステップ４０７：ＬＭＦエンティＬＭＦエンティティは、第１のビーム情報に従って端末によって検出できる隣接する基地によって送信された第２のビーム参照信号の第２のビーム情報を決定する。ここで、第２のビーム参照信号はＰＲＳである。
【０１０１】
ステップ４０８：ＬＭＦエンティティは、第２のビーム参照信号の第２のビーム情報を含む第１の測位支援データを端末に送信する。
【０１０２】
ステップ４０９：ＬＭＦエンティティは、測位要求メッセージを端末に送信する。
【０１０３】
ステップ４１０：端末は、第１の測位支援データに従って隣接する基地局の第２のビーム参照信号を測定し、測定によって取得された測位情報を決定する。ここで、測位情報は、ＲＳＴＤ測定値であり得る。
【０１０４】
ステップ４１１：端末は、測位情報、および測定に使用される第２のビーム参照信号の第２のビーム情報をＬＭＦエンティティに送信する。
【０１０５】
ステップ４１２：ＬＭＦエンティティは、測位情報および測定に使用される第２のビーム参照信号の第２のビーム情報に従って、前記端末の位置を決定する。
【０１０６】
図４に示されるフローチャートにおいて、ステップ４０１〜４０４およびステップ４０５〜４０６は、順序を区別しない。ステップ４０５〜４０６の前にステップ４０１〜４０４を実行することが可能である。または、ステップ４０１〜４０４の前にステップ４０５〜４０６を実行する。または、ステップ４０１〜４０４とステップ４０５〜４０６を同時に実行する。
【０１０７】
ＬＭＦエンティティが端末をトリガーして測定を実行する方法は、図４に示される上記の測位プロセスで使用されることに留意されたい。さらに、本発明の実施形態は、端末が測位プロセスにおいて測定をトリガーする方法をさらに提供する。詳細は、図５に示される測位プロセスを参照する。
【０１０８】
図５に示されるように、図５は、本発明の実施形態の第２のＯＴＤＯＡ測位プロセスの図である。ここで、端末は基地局との接続を確立し、ＲＲＣ接続状態にある。
【０１０９】
ステップ５０１：ＬＭＦエンティティは、端末の測位能力を要求する。ステップ５０１において、ＬＭＦエンティティは、端末がサポートできる測位能力を報告するように端末に要求する。
【０１１０】
ステップ５０２：端末は、端末の測位能力をＬＭＦエンティティに報告する。端末が測位能力をＬＭＦエンティティに報告する場合、端末がＮＧ−ＲＡＮＯＴＤＯＡ測位能力をサポートしていることを示す。
【０１１１】
ステップ５０３：ダウンリンク測位支援データが必要なときに端末それ自体によって検出された第１のビーム参照信号を決定する。ここで、第１のビーム参照信号は、ＰＲＳおよび／またはＤＬ−ＲＳである。
【０１１２】
ステップ５０４：端末は、要求メッセージをＬＭＦエンティティに送信し、ここで、当該要求メッセージは、第１のビーム参照信号の第１のビーム情報を含む。
【０１１３】
ステップ５０５：ＬＭＦエンティティは、基地局にＯＴＤＯＡ情報要求メッセージを送信する。
【０１１４】
ステップ５０６：基地局は、ＯＴＤＯＡ情報応答メッセージを介してＬＭＦエンティティに基地によって送信された第３のビーム参照信号の第３のビーム情報を含む第２の測位支援データを報告する。ここで、第３のビーム参照信号は、ＰＲＳおよび／またはＤＬ−ＲＳである。
【０１１５】
ステップ５０７：ＬＭＦエンティティは、前記第１のビーム情報に従って前記端末によって検出できる隣接する基地によって送信された第２のビーム参照信号の第２のビーム情報を決定する。ここで、第２のビーム参照信号はＰＲＳである。
【０１１６】
ステップ５０８：ＬＭＦエンティティは、第２のビーム参照信号の第２のビーム情報を含む第１の測位支援データを端末に送信する。
【０１１７】
ステップ５０９：端末は、第１の測位支援データに従って隣接する基地局の第２のビーム参照信号を測定し、測定によって取得された測位情報を決定する。ここで、測位情報は、ＲＳＴＤ測定値であり得る。
【０１１８】
ステップ５１０：端末は、測位情報、および測定に使用される第２のビーム参照信号の第２のビーム情報をＬＭＦエンティティに送信する。
【０１１９】
ステップ５１１：ＬＭＦエンティティは、測位情報および測定に使用される第２のビーム参照信号の第２のビーム情報に従って、前記端末の位置を決定する。
【０１２０】
本発明の実施形態では、端末がＬＭＦエンティティと通信するとき、データは、アクセスネットワークノード（例えば、基地局）およびアクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ，ＡＭＦ）エンティティを介して転送されることに留意されたい。例えば、端末が第１のビーム参照信号の第１のビーム情報を含む要求メッセージをＬＭＦエンティティに送信するとき、端末は要求メッセージをサービング基地局に送信し、サービング基地局は要求メッセージをＡＭＦエンティティに転送する。次に、ＡＭＦエンティティは要求メッセージをＬＭＦエンティティに転送する。
【０１２１】
図６に示すように、本発明の実施形態の第１の端末は、プロセッサ６００、メモリ６０１、送受信機６０２、およびバスインターフェイスを含む。
【０１２２】
プロセッサ６００は、バスアーキテクチャ及び通常の処理を管理し、メモリ６０１は、プロセッサ１０００が動作する際に利用するデータを記憶することができる。送受信機６０３は、プロセッサ６００の制御下でデータを送受信するように構成される。
【０１２３】
バスアーキテクチャは、任意の数の相互接続されたバスおよびブリッジを含み得、特に、プロセッサ６００によって表される１つ以上のプロセッサの様々な回路およびメモリ６０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェイスはインターフェイスを提供する。プロセッサ６００は、バスアーキテクチャ及び通常の処理を管理し、メモリ６０１は、プロセッサ６００が動作する際に利用するデータを記憶することができる。
【０１２４】
本発明に係る実施例により開示されたフローチャートは、プロセッサ６００に適用することができるか、または、プロセッサ６００により実現される。実現の間、周波数ドメインにおける拡散伝送流れにおける各々ステップは、プロセッサ６００内のハードウェアの論理集積回路またはソフトウェア形式の指令により完成されることができる。プロセッサ６００は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ６０１に位置し、プロセッサ６００はメモリ６０１に格納される情報を読み出して、そのハードウェアと協働して信号処理のフローを完成する。
【０１２５】
具体的には、プロセッサ６００は、メモリ６０１内のプログラムを読み取り、前記端末によって検出された第１のビーム参照信号を決定し、要求メッセージをＬＭＦエンティティに送信し、ここで、前記要求メッセージに前記第１のビーム参照信号の第１のビーム情報が含まれ、前記ＬＭＦエンティティが、前記第１のビーム情報に従って前記端末によって検出できる隣接する基地によって送信された第２のビーム参照信号の第２のビーム情報を決定できるようにするため、前記端末は、前記ＬＭＦエンティティによって送信された第２のビーム情報を含む第１の測位支援データを受信し、前記第１の測位支援データに従って、前記隣接する基地局の前記第２のビーム参照信号を測定する。
【０１２６】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用される測位参照信号（ＰＲＳ）である。
【０１２７】
任意選択で、前記第１のビーム情報は、ＤＬ−ＲＳビーム識別子、ＤＬ−ＲＳ信号強度およびＰＲＳビーム識別子のうちの一部または全部を含む。
【０１２８】
任意選択で、前記第２のビーム情報は、ＰＲＳビーム識別子を含む。
【０１２９】
任意選択で、前記プロセッサ６００は、さらに、前記第１の測位支援データに従って、前記隣接する基地局の前記第２のビーム参照信号を測定した後、測定によって取得された測位情報を決定し、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする。
【０１３０】
任意選択で、前記プロセッサ６００は、具体的に、第１の測位支援データを取得する必要があるときに、それ自体によって検出された第１のビーム参照信号を決定する。
【０１３１】
任意選択で、前記プロセッサ６００は、さらに、前記ＬＭＦエンティティによって送信された前記第２のビーム参照信号の第２のビーム情報を含む第１の測位支援データを受信した後、前記第１の測位支援データに従って、前記隣接する基地局の前記第２のビーム参照信号を測定する前に、前記ＬＭＦエンティティによって送信された測位要求メッセージを受信する。
【０１３２】
図７に示すように、本発明の実施形態の第１のＬＭＦエンティティは、プロセッサ７００、メモリ７０１、および送受信機７０２を含む。
【０１３３】
プロセッサ７００は、バスアーキテクチャ及び通常の処理を管理し、メモリ７０１は、プロセッサ７００が動作する際に利用するデータを記憶することができる。送受信機７０２は、プロセッサ７００の制御下でデータを送受信するように構成される。
【０１３４】
バスアーキテクチャは、任意の数の相互接続されたバスおよびブリッジを含み得、特に、プロセッサ７００によって表される１つ以上のプロセッサの様々な回路およびメモリ７０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェイスはインターフェイスを提供する。プロセッサ７００は、バスアーキテクチャ及び通常の処理を管理し、メモリ７０１は、プロセッサ７００が動作する際に利用するデータを記憶することができる。
【０１３５】
本発明に係る実施例により開示されたフローチャートは、プロセッサ７００に適用することができるか、または、プロセッサ７００により実現される。実現の間、周波数ドメインにおける拡散伝送流れにおける各々ステップは、プロセッサ７００内のハードウェアの論理集積回路またはソフトウェア形式の指令により完成されることができる。プロセッサ７００は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ７０１に位置し、プロセッサ７００はメモリ７０１に格納される情報を読み出して、そのハードウェアと協働して信号処理のフローを完成する。
【０１３６】
具体的には、プロセッサ７００は、メモリ７０１内のプログラムを読み取り、実行するように構成されている：端末によって送信された要求メッセージを受信し、ここで、前記要求メッセージに前記端末によって検出された第１のビーム参照信号の第１のビーム情報が含まれ、前記第１のビーム情報に従って端末によって検出できる隣接する基地によって送信された第２のビーム参照信号の第２のビーム情報を決定し、前記第２のビーム参照信号の第２のビーム情報を含む第１の測位支援データを前記端末に送信し、前記端末に、前記第１の測位支援データに従って、前記隣接する基地局の前記第２のビーム参照信号を測定できるようにする。
【０１３７】
任意選択で、前記プロセッサ７００は、さらに、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される。
【０１３８】
任意選択で、前記プロセッサ７００は、さらに、端末によって検出できる隣接する基地によって送信された第２のビーム参照信号の第２のビーム情報を決定する前に、各基地局によって報告された前記基地によって送信された第３のビーム参照信号の第３のビーム情報を含む第２の測位支援データを受信する。
【０１３９】
任意選択で、前記プロセッサ７００は、具体的に、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する。
【０１４０】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用されるビーム測位参照信号ＰＲＳである。
【０１４１】
任意選択で、前記第３のビーム参照信号は、データ通信をサポートするために使用されるＤＬ−ＲＳおよび／または測位をサポートするために使用されるＰＲＳである。
【０１４２】
任意選択で、前記第１のビーム情報は、ＤＬ−ＲＳビーム識別子、ＤＬ−ＲＳ信号強度およびＰＲＳビーム識別子のうちの一部または全部を含む。
【０１４３】
任意選択で、前記第２のビーム情報は、ＰＲＳビーム識別子を含む。
【０１４４】
任意選択で、前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、ＤＬ−ＲＳビームとＰＲＳビーム間のＱＣＬ関連付けの関係の一部または全部を含む。
【０１４５】
任意選択で、前記プロセッサ７００は、さらに、前記端末によって送信された測定に使用される第２のビーム参照信号の第２のビーム情報を受信し、前記プロセッサ７００は、具体的に、前記測位情報および前記測定に使用される第２のビーム参照信号の第２のビーム情報に従って前記端末の位置を決定する。
【０１４６】
図８に示すように、本発明の実施形態の第２の端末は、前記ＬＭＦエンティティが、前記第１のビーム情報に従って前記端末によって検出できる隣接する基地によって送信された第２のビーム参照信号の第２のビーム情報を決定できるようにするため、それ自体によって検出された第１のビーム参照信号を決定し、前記第１のビーム参照信号の第１のビーム情報が含まれる要求メッセージをＬＭＦエンティティに送信するように構成された第１の送信モジュール８０１と、
【０１４７】
前記ＬＭＦエンティティによって送信された前記第２のビーム参照信号の第２のビーム情報を含む第１の測位支援データを受信するように構成された第１の受信モジュール８０２と、
前記第１の測位支援データに従って、前記隣接する基地局の前記第２のビーム参照信号を測定するように構成された測定モジュール８０３とを含む。
【０１４８】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用されるＰＲＳである。
【０１４９】
任意選択で、前記第１のビーム情報は、ＤＬ−ＲＳビーム識別子、ＤＬ−ＲＳ信号強度およびＰＲＳビーム識別子のうちの一部または全部を含む。
【０１５０】
任意選択で、前記第２のビーム情報は、ＰＲＳビーム識別子を含む。
【０１５１】
任意選択で、前記測定モジュール８０３は、さらに、前記第１の測位支援データに従って、前記隣接する基地局の前記第２のビーム参照信号を測定した後、測定によって取得された測位情報を決定し、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする。
【０１５２】
任意選択で、前記第１の送信モジュール８０１は、具体的に、第１の測位支援データを取得する必要があるときに、それ自体によって検出された第１のビーム参照信号を決定する。
【０１５３】
任意選択で、前記第１の受信モジュール８０２は、さらに、前記ＬＭＦエンティティによって送信された前記第２のビーム参照信号の第２のビーム情報を含む第１の測位支援データを受信した後、前記第１の測位支援データに従って、前記隣接する基地局の前記第２のビーム参照信号を測定する前に、前記ＬＭＦエンティティによって送信された測位要求メッセージを受信する。
【０１５４】
図９に示されるように、本発明の実施形態の第２のＬＭＦエンティティは、端末によって送信された要求メッセージを受信するように構成された第２の受信モジュール９０１であって、ここで、前記要求メッセージに前記端末によって検出された第１のビーム参照信号の第１のビーム情報が含まれる前記するように構成された第２の受信モジュール９０１と、
前記第１のビーム情報に従って端末によって検出できる隣接する基地によって送信された第２のビーム参照信号の第２のビーム情報を決定するように構成された決定モジュール９０２と、
前記第２のビーム参照信号の第２のビーム情報を含む第１の測位支援データを前記端末に送信し、前記端末に、前記第１の測位支援データに従って、前記隣接する基地局の前記第２のビーム参照信号を測定できるようにするように構成された第２の送信モジュール９０３とを含む。
【０１５５】
任意選択で、前記第２の送信モジュール９０３は、さらに、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される。
【０１５６】
任意選択で、前記決定モジュール９０２は、さらに、端末によって検出できる隣接する基地によって送信された第２のビーム参照信号の第２のビーム情報を決定する前に、各基地局によって報告された前記基地によって送信された第３のビーム参照信号の第３のビーム情報を含む第２の測位支援データを受信する。
【０１５７】
任意選択で、前記決定モジュール９０２は、具体的に、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する。
【０１５８】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用されるビームＰＲＳである。
【０１５９】
任意選択で、前記第３のビーム参照信号は、データ通信をサポートするために使用されるＤＬ−ＲＳおよび／または測位をサポートするために使用されるＰＲＳである。
【０１６０】
任意選択で、前記第１のビーム情報は、ＤＬ−ＲＳビーム識別子、ＤＬ−ＲＳ信号強度およびＰＲＳビーム識別子のうちの一部または全部を含む。
【０１６１】
任意選択で、前記第２のビーム情報は、ＰＲＳビーム識別子を含む。
【０１６２】
任意選択で、前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、ＤＬ−ＲＳビームとＰＲＳビーム間のＱＣＬ関連付けの関係の一部または全部を含む。
【０１６３】
任意選択で、前記第２の送信モジュール９０３は、さらに、前記端末によって送信された測定に使用される第２のビーム参照信号の第２のビーム情報を受信し、任意選択で、前記第２の送信モジュール９０３は、具体的に、前記測位情報および前記測定に使用される第２のビーム参照信号の第２のビーム情報に従って前記端末の位置を決定する。
【０１６４】
本発明の実施形態は、コンピュータプログラムをその上に格納するコンピュータ格納可能媒体をさらに提供し、プログラムは、プロセッサによって実行されると、上記の端末側の方法のステップを実行するか、または上記のＬＭＦエンティティ側の方法のステップを実行する。
【０１６５】
同じ本発明の思想に基づいて、本発明の実施形態は、測定方法をさらに提供する。この方法は、本発明の実施形態の測定システムにおける端末側の方法に対応し、問題を解決する方法の原理はシステムと類似しているので、この方法の実施は、システムの実施を参照することができ、繰り返しの説明はここでは省略する。
【０１６６】
図１０に示すように、本発明の実施形態の測定方法は、以下を含む。
【０１６７】
ステップ１００１：端末は、前記ＬＭＦエンティティが、前記第１のビーム情報に従って前記端末によって検出できる隣接する基地によって送信された第２のビーム参照信号の第２のビーム情報を決定できるようにするため、前記端末によって検出された第１のビーム参照信号を決定し、前記第１のビーム参照信号の第１のビーム情報が含まれる要求メッセージをＬＭＦエンティティに送信する。
【０１６８】
ステップ１００２：前記端末は、前記ＬＭＦエンティティによって送信された第２のビーム情報を含む第１の測位支援データを受信する。
【０１６９】
ステップ１００３：前記端末は、前記第１の測位支援データに従って、前記隣接する基地局の前記第２のビーム参照信号を測定する。
【０１７０】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用されるＰＲＳである。
【０１７１】
任意選択で、前記第１のビーム情報は、ＤＬ−ＲＳビーム識別子、ＤＬ−ＲＳ信号強度およびＰＲＳビーム識別子のうちの一部または全部を含む。
【０１７２】
任意選択で、前記第２のビーム情報は、ＰＲＳビーム識別子を含む。
【０１７３】
任意選択で、前記端末が、前記第１の測位支援データに従って、前記隣接する基地局の前記第２のビーム参照信号を測定した後、前記端末は、測定によって取得された測位情報を決定し、前記端末が、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする。
【０１７４】
任意選択で、前記端末が、前記端末によって検出された第１のビーム参照信号を決定することは、具体的に、前記端末は、第１の測位支援データを取得する必要があるときに、端末自体によって検出された第１のビーム参照信号を決定する。
【０１７５】
任意選択で、前記端末は、前記ＬＭＦエンティティによって送信された前記第２のビーム参照信号の第２のビーム情報を含む第１の測位支援データを受信した後、前記第１の測位支援データに従って、前記隣接する基地局の前記第２のビーム参照信号を測定する前に、前記端末は、前記ＬＭＦエンティティによって送信された測位要求メッセージを受信する。
【０１７６】
同じ本発明の思想に基づいて、本発明の実施形態は、測定方法をさらに提供する。この方法は、本発明の実施形態の測定システムにおいてＬＭＦエンティティによって実行される方法に対応し、問題を解決する方法の原理はシステムと類似しているので、この方法の実施は、システムの実施を参照することができ、およびその繰り返しの説明は、ここでは省略される。
【０１７７】
図１１に示すように、本発明の実施形態は、以下を含む測定方法を提供する。
【０１７８】
ステップ１１０１：ＬＭＦエンティティは、端末によって送信された要求メッセージを受信し、ここで、前記要求メッセージに前記端末によって検出された第１のビーム参照信号の第１のビーム情報が含まれる。
【０１７９】
ステップ１１０２：前記ＬＭＦエンティティは、前記第１のビーム情報に従って端末によって検出できる隣接する基地によって送信された第２のビーム参照信号の第２のビーム情報を決定する。
【０１８０】
ステップ１１０３：前記ＬＭＦエンティティは、前記端末に前記第２のビーム情報を含む第１の測位支援データを送信し、前記端末に、前記第１の測位支援データに従って、前記隣接する基地局の前記第２のビーム参照信号を測定できるようにする。
【０１８１】
任意選択で、前記ＬＭＦエンティティが前記端末に前記第２のビーム情報を含む第１の測位支援データを送信した後、前記ＬＭＦエンティティは、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される。
【０１８２】
任意選択で、前記ＬＭＦエンティティが、端末によって検出できる隣接する基地によって送信された第２のビーム参照信号を受信する前に、前記ＬＭＦエンティティは、各基地局によって報告された前記基地によって送信された第３のビーム参照信号の第３のビーム情報を含む第２の測位支援データを受信する。
【０１８３】
任意選択で、前記ＬＭＦエンティティが、端末によって検出できる隣接する基地によって送信された第２のビーム参照信号の第２のビーム情報を受信することは、具体的に、前記ＬＭＦエンティティは、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定する。
【０１８４】
任意選択で、前記第１のビーム参照信号は、データ通信をサポートするために使用されるビーム通信参照信号（ＤＬ−ＲＳ）および／または測位をサポートするために使用されるビームＰＲＳであり、前記第２のビーム参照信号は、測位をサポートするために使用されるビームＰＲＳである。
【０１８５】
任意選択で、前記第３のビーム参照信号は、データ通信をサポートするために使用されるＤＬ−ＲＳおよび／または測位をサポートするために使用されるＰＲＳである。
【０１８６】
任意選択で、前記第１のビーム情報は、ＤＬ−ＲＳビーム識別子、ＤＬ−ＲＳ信号強度およびＰＲＳビーム識別子のうちの一部または全部を含む。
【０１８７】
任意選択で、前記第２のビーム情報は、ＰＲＳビーム識別子を含む。
【０１８８】
任意選択で、前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、ＤＬ−ＲＳビームとＰＲＳビーム間のＱＣＬ関連付けの関係の一部または全部を含む。
【０１８９】
任意選択で、当該方法では、前記ＬＭＦエンティティは、前記端末によって送信された測定に使用される第２のビーム参照信号の第２のビーム情報を受信し、前記ＬＭＦエンティティが、前記測位情報に従って前記端末の位置を決定することは、具体的に、前記ＬＭＦエンティティは、前記測位情報および前記測定に使用される第２のビーム参照信号の第２のビーム情報に従って前記端末の位置を決定する。
【０１９０】
本発明は、本開示の実施形態による方法、装置（システム）およびコンピュータプログラム製品のフローチャートおよび／またはブロック図で説明された。フローチャートおよび／またはブロック図のそれぞれのフローおよび／またはブロック、ならびにフローチャートおよび／またはブロック図のフローおよび／またはブロックの結合は、コンピュータプログラム命令で実施できることを理解されたい。これらのコンピュータプログラム命令は、汎用コンピュータ、特定用途コンピュータ、組み込みプロセッサ、または別のプログラム可能なデータ処理装置のプロセッサにロードして、コンピュータまたは他のプロセッサで実行される命令が実行されるようにマシンを生成できる。プログラム可能なデータ処理装置は、フローチャートのフローおよび／またはブロック図のブロックで指定された機能を実行するための手段を作成する。
【０１９１】
したがって、本開示の実施形態は、ハードウェアおよび／またはソフトウェア（したがって、アプリケーションは、ハードウェアおよび／またはソフトウェア（ファームウェア、常駐ソフトウェア、マイクロコードなどを含む）で実装することもできる）によって実装することができる。本開示の実施形態は、コンピュータ使用可能またはコンピュータ可読記憶媒体上のコンピュータプログラム製品によって実装することができ、コンピュータプログラム製品は、命令による使用のために媒体に実装されたコンピュータ使用可能またはコンピュータ可読プログラムコードを有する。本開示の文脈において、コンピュータ使用可能またはコンピュータ可読媒体は、またはによって使用されるプログラムを含む、格納する、通信する、送信する、または転送することができる任意の媒体であり得る。こうして、命令でシステム、装置、または設備の使用を実行するか、命令も加えてでシステム、装置、または設備の使用を実行する。
【０１９２】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１９３】
10  端末
20  ＬＭＦエンティティ
600  プロセッサ
601  メモリ
602  送受信機
700  プロセッサ
701  メモリ
702  送受信機
801  第１の送信モジュール
802  第１の受信モジュール
803  測定モジュール
901  第２の受信モジュール
902  決定モジュール
903  第２の送信モジュール
【図１】
2022501923.tif 000003
【図２】
2022501923.tif 000004
【図３】
2022501923.tif 000005
【図４】
2022501923.tif 000006
【図５】
2022501923.tif 000007
【図６】
2022501923.tif 000008
【図７】
2022501923.tif 000009
【図８】
2022501923.tif 000010
【図９】
2022501923.tif 000011
【図１０】
2022501923.tif 000012
【図１１】
2022501923.tif 000013
【手続補正書】
【提出日】令和3年3月25日(2021.3.25)
【手続補正１】
【補正対象書類名】明細書
【補正対象項目名】００４５
【補正方法】変更
【補正の内容】
【００４５】
【図１】本発明の実施形態による測定および測位のためのシステムの構造概略図である。
【図２】本発明の実施形態による、ＬＭＦエンティティによる第２のビーム参照信号を決定するための方法の概略図である。
【図３】本発明の実施形態による、ＬＭＦエンティティによって端末を測位するための方法の概略図である。
【図４】本発明の実施形態による第１の測位方法のフローチャートである。
【図５】本発明の実施形態による第２の測位方法のフローチャートである。
【図６】本発明の実施形態による第１の端子の構造概略図である。
【図７】本発明の実施形態による第２の端子の構造概略図である。
【図８】本発明の実施形態による第１のＬＭＦエンティティの構造概略図である。
【図９】本発明の実施形態による第２のＬＭＦエンティティの構造概略図である。
【図１０】本発明の実施形態による第１の測定方法のフローチャートである。
【図１１】本発明の実施形態による第２の測定方法のフローチャートである。
【手続補正２】
【補正対象書類名】明細書
【補正対象項目名】００７８
【補正方法】変更
【補正の内容】
【００７８】
図２に示すように、端末は、サービング基地局および隣接する基地局からの第１のビーム参照信号を定期的に測定し、例えば、ＲＲＭをサポートするためにＤＬ−ＲＳを測定しＲＲＭ測定結果に従って、基地局ＢＳ２からのＢＳ１とＤＬ−ＲＳを検出すると仮定する。そして、基地局ＢＳ１からのＤＬ−ＲＳ１は、ＤＬ−ＲＳビームｘで検出され、基地局ＢＳ２からのＤＬ−ＲＳは、ＤＬ−ＲＳビームｙで検出される。次に、端末は、検出されたＤＬ−ＲＳの第１のビーム情報として、ＤＬ−ＲＳビームｘ、ＤＬ−ＲＳビームｙ、ＤＬ−ＲＳ１および／またはＤＬ−ＲＳ２の信号強度を使用し、ＬＭＦエンティティに第１のビーム情報を含む要求メッセージを送信する。
【手続補正３】
【補正対象書類名】特許請求の範囲
【補正対象項目名】全文
【補正方法】変更
【補正の内容】
【特許請求の範囲】
【請求項１】
端末は、ロケーション管理機能（ＬＭＦ）エンティティが、第１のビーム情報に従って前記端末によって検出できる隣接する基地によって送信された第２のビーム参照信号の第２のビーム情報を決定できるようにするため、前記端末によって検出された第１のビーム参照信号を決定し、前記第１のビーム参照信号の第１のビーム情報が含まれる要求メッセージを前記ＬＭＦエンティティに送信するステップと、
前記端末は、前記ＬＭＦエンティティによって送信された第２のビーム情報を含む第１の測位支援データを受信するステップと、
前記端末は、前記第１の測位支援データに従って、前記隣接する基地局の前記第２のビーム参照信号を測定するステップとを含む、ことを特徴とする測定方法。
【請求項２】
前記第１のビーム参照信号は、データ通信をサポートするために使用される下行参照信号ＤＬ−ＲＳおよび／または測位をサポートするために使用される測位参照信号ＰＲＳであり、
前記第２のビーム参照信号は、測位をサポートするために使用される測位参照信号（ＰＲＳ）である、ことを特徴とする請求項１に記載の測定方法。
【請求項３】
前記第１のビーム情報は、ＤＬ−ＲＳビーム識別子、ＤＬ−ＲＳ信号強度およびＰＲＳビーム識別子の一部または全部を含む、ことを特徴とする請求項２に記載の測定方法。
【請求項４】
前記第２のビーム情報は、ＰＲＳビーム識別子を含む、ことを特徴とする請求項２に記載の測定方法。
【請求項５】
前記端末が、前記第１の測位支援データに従って、前記隣接する基地局の前記第２のビーム参照信号を測定した後、
前記端末は、測定によって取得された測位情報を決定し、
前記端末が、前記測位情報および測定に使用される第２のビーム参照信号の第２のビーム情報を前記ＬＭＦエンティティに送信し、前記ＬＭＦエンティティが前記測位情報および前記測定に使用される第２のビーム参照信号の第２のビーム情報に従って前記端末の位置を決定できるようにする、ことを特徴とする請求項１に記載の測定方法。
【請求項６】
前記端末が、前記端末によって検出された第１のビーム参照信号を決定することは、
前記端末は、第１の測位支援データを取得する必要があるときに、端末自体によって検出された第１のビーム参照信号を決定することを含む、ことを特徴とする請求項１に記載の測定方法。
【請求項７】
ＬＭＦエンティティは、端末によって送信された要求メッセージを受信するステップであって、ここで、前記要求メッセージに前記端末によって検出された第１のビーム参照信号の第１のビーム情報が含まれる前記受信するステップと、
前記ＬＭＦエンティティは、前記第１のビーム情報に従って端末によって検出できる隣接する基地によって送信された第２のビーム参照信号の第２のビーム情報を決定するステップと、
前記ＬＭＦエンティティは、前記端末に前記第２のビーム情報を含む第１の測位支援データを送信し、前記端末に、前記第１の測位支援データに従って、前記隣接する基地局の前記第２のビーム参照信号を測定できるようにするステップとを含む、ことを特徴とする測定方法。
【請求項８】
前記ＬＭＦエンティティが前記端末に前記第２のビーム情報を含む第１の測位支援データを送信した後、
前記ＬＭＦエンティティは、前記端末によって送信された測位情報を受信し、前記測位情報に従って前記端末の位置を決定し、ここで、前記測位情報は、前記第１の測位支援データに従って、前記隣接する基地局の前記第２のビーム参照信号を測定することによって端末によって取得される、ことを特徴とする請求項７に記載の測定方法。
【請求項９】
前記ＬＭＦエンティティが、端末によって検出できる隣接する基地によって送信された第２のビーム参照信号を受信する前に、
前記ＬＭＦエンティティは、各基地局によって報告された前記基地によって送信された第３のビーム参照信号の第３のビーム情報を含む第２の測位支援データを受信する、ことを特徴とする請求項７に記載の測定方法。
【請求項１０】
前記ＬＭＦエンティティが、端末によって検出できる隣接する基地によって送信された第２のビーム参照信号の第２のビーム情報を受信することは、
前記ＬＭＦエンティティは、前記要求メッセージに含まれる前記端末によって検出された第１のビーム参照信号の第１のビーム情報および前記第２の測位支援データに従い、前記端末によって検出できる隣接する基地によって送信された第２のビーム参照信号の第２のビーム情報を決定することを含む、ことを特徴とする請求項９に記載の測定方法。
【請求項１１】
前記第１のビーム参照信号は、データ通信をサポートするために使用されるビーム通信参照信号ＤＬ−ＲＳおよび／または測位をサポートするために使用されるビーム測位参照信号ＰＲＳであり、
前記第２のビーム参照信号は、測位をサポートするために使用されるビーム測位参照信号ＰＲＳであり、
前記第１のビーム情報は、ＤＬ−ＲＳビーム識別子、ＤＬ−ＲＳ信号強度およびＰＲＳビーム識別子の一部または全部を含み、
前記第２のビーム情報は、ＰＲＳビーム識別子を含む、ことを特徴とする請求項７から請求項１０のいずれか１項に記載の測定方法。
【請求項１２】
前記第３のビーム参照信号は、データ通信をサポートするために使用されるＤＬ−ＲＳおよび／または測位をサポートするために使用されるＰＲＳであり、
前記第３のビーム情報は、ＰＲＳビーム識別子、ＰＲＳビーム方向、ＰＲＳビーム幅、ＤＬ−ＲＳビーム識別子、ＤＬ−ＲＳビーム方向、ＤＬ−ＲＳビーム幅、およびＤＬ−ＲＳビームとＰＲＳビーム間の準同一位置（Ｑｕａｓｉ  Ｃｏ−Ｌｏｃａｔｅｄ，ＱＣＬ）関連付けの関係の一部または全部を含む、ことを特徴とする請求項９に記載の測定方法。
【請求項１３】
前記ＬＭＦエンティティは、前記端末によって送信された測定に使用される第２のビーム参照信号の第２のビーム情報を受信し、
前記ＬＭＦエンティティが、前記測位情報に従って前記端末の位置を決定することは、
前記ＬＭＦエンティティは、前記測位情報および前記測定に使用される第２のビーム参照信号の第２のビーム情報に従って前記端末の位置を決定することを含む、ことを特徴とする請求項８に記載の測定方法。
【請求項１４】
ロケーション管理機能（ＬＭＦ）エンティティが、第１のビーム情報に従って端末によって検出できる隣接する基地によって送信された第２のビーム参照信号の第２のビーム情報を決定できるようにするため、それ自体によって検出された第１のビーム参照信号を決定し、前記第１のビーム参照信号の前記第１のビーム情報が含まれる要求メッセージを前記ＬＭＦエンティティに送信するように構成された第１の送信モジュールと、
記ＬＭＦエンティティによって送信された第２のビーム情報を含む第１の測位支援データを受信するように構成された第１の受信モジュールと、
前記第１の測位支援データに従って、前記隣接する基地局の前記第２のビーム参照信号を測定するように構成された測定モジュールとを含む、ことを特徴とする端末。
【請求項１５】
端末によって送信された要求メッセージを受信するように構成された第２の受信モジュールであって、前記要求メッセージに前記端末によって検出された第１のビーム参照信号の第１のビーム情報が含まれる前記第２の受信モジュールと、
前記第１のビーム情報に従って端末によって検出できる隣接する基地によって送信された第２のビーム参照信号の第２のビーム情報を決定するように構成された決定モジュールと、
前記端末に前記の第２のビーム情報を含む第１の測位支援データを送信し、前記端末に、前記第１の測位支援データに従って、前記隣接する基地局の前記第２のビーム参照信号を測定できるようにするように構成された第２の送信モジュールとを含む、ことを特徴とするＬＭＦエンティティ。
【国際調査報告】
2022501923.tif 000014
2022501923.tif 000015
2022501923.tif 000016
2022501923.tif 000017